(57)【要約】【課題】本発明は、各人の好みに応じた多種多様なデザインに容易に構成することができるとともに従来と同様に取り扱うことが可能な箸を提供することを目的とするものである。【解決手段】箸１は、先細に形成された箸本体１０と、箸本体１０の頭部に形成された穴部１０ａに挿入固定された筒体１１と、筒体１１に着脱可能に取り付けられる装飾体１２を備えている。装飾体１２は、筒体１１に挿し込まれる軸部及び軸部の先端に取り付けた装飾部を備えており、装飾体１２の軸部を筒体１１に対して挿脱することで、箸本体１０に装飾体１２を着脱可能に取り付けることができる。【選択図】図１
2014028075.tif 000002
【特許請求の範囲】
【請求項１】
頭部に穴部が軸方向に沿って形成された箸本体と、前記穴部に挿入される軸部及び当該軸部に固定された装飾部を有する装飾体とを備え、前記軸部を前記穴部に挿脱することで前記装飾体を前記箸本体に着脱可能に取り付ける箸。
【請求項２】
前記箸本体の前記穴部に挿入されて固定された筒体を備えており、前記装飾体の前記軸部は、前記筒体の内周面に密着する形状に形成されている請求項１に記載の箸。
【請求項３】
前記軸部は、軸方向に間隔を置いて複数の大径部が形成されている請求項１又は２に記載の箸。
【発明の詳細な説明】
【技術分野】
【０００１】
本発明は、装飾体を着脱可能に取り付けることのできる箸に関する。
【背景技術】
【０００２】
食事をする際に使用する箸は、食卓用器具として日常的に広く用いられている。一般家庭で箸を使用する場合には、各人が自分の使用する箸を決めておく場合がほとんどであり、各人が自分の好みで箸を選べるように多種多様なデザインの箸が製造販売されている。また、飲食店等の店舗では、環境問題への配慮から従来の使い捨ての割り箸を繰り返し使用できる箸に変更するようになっており、各店舗において、共通のデザインの箸が客に提供されている。
【０００３】
このように、用途に応じて様々なデザインの箸が開発されており、例えば、特許文献１では、箸の頭部に形成された穴部に立体装飾体の突起部を挿入固定した箸が記載されている。また、特許文献２では、箸本体の頭部に固定した台座の周面に止め環を一体に形成し、止め環に装飾体を着脱可能に取り付けた箸が記載されている。また、特許文献３では、本体、接続体及びキャップを分離可能に構成した携帯用の箸が記載されている。
【先行技術文献】
【特許文献】
【０００４】
【特許文献１】特開２００８−５９１号公報
【特許文献２】登録実用新案第３１４７７３５号公報
【特許文献３】特開２００９−２７３８８４号公報
【発明の概要】
【発明が解決しようとする課題】
【０００５】
特許文献１に記載された箸は、頭部に立体装飾体を固定してデザイン性を高めており、キャラクタ等の立体装飾体を頭部に固定することで、各人の好みのキャラクタが固定された箸を購入することができる。そのため、家庭用として使用した場合でも各人の箸が識別しやすくなる。しかしながら、こうした立体装飾体を固定した箸は、キャラクタ等の人気に応じて販売量が左右されるため、立体装飾体により品不足や売れ残りが発生しやすいデメリットがある。また、特定のキャラクタ等を固定した箸に人気が集中すると、同じデザインの箸を使用する場合が増えて各人の箸の識別が困難になるおそれがある。
【０００６】
特許文献２では、頭部に固定された台座に形成された止め環に装飾体を着脱可能に取り付けているので、各人が好みの装飾体を取り付けることができ、箸本体が共通している場合でも各人の箸を装飾体で識別することが可能となる。しかしながら、頭部に固定した台座及び止め環は、箸を洗浄する際に邪魔になり、また洗浄中に止め環にゴミ等が引っ掛かりやすくなって、繰り返し使用する場合に不都合である。また、特許文献３では、箸を分離可能に構成して、キャップ部分を着脱可能に取り付けるようにしているが、各部が不用意に外れないような形状にする必要があり、全体的なデザインに多種多様なバリエーションを持たせることは難しい。
【０００７】
そこで、本発明は、各人の好みに応じた多種多様なデザインに容易に構成することができるとともに従来と同様に取り扱うことが可能な箸を提供することを目的とするものである。
【課題を解決するための手段】
【０００８】
本発明に係る箸は、頭部に穴部が軸方向に沿って形成された箸本体と、前記穴部に挿入される軸部及び当該軸部に固定された装飾部を有する装飾体とを備え、前記軸部を前記穴部に挿脱することで前記装飾体を前記箸本体に着脱可能に取り付ける。さらに、前記箸本体の前記穴部に挿入されて固定された筒体を備えており、前記装飾体の前記軸部は、前記筒体の内周面に密着する形状に形成されている。さらに、前記軸部は、軸方向に間隔を置いて複数の大径部が形成されている。
【発明の効果】
【０００９】
本発明は、上記のような構成を有することにより、箸本体に装飾体が着脱可能に取り付けられるので、箸本体が共通のものであっても各人の好みに応じた多種多様な装飾体を取り付けて識別性を高めることができ、家庭用及び店舗用等の幅広い用途に使用することが可能となる。そして、箸本体から装飾体を取り外せば従来と同様に箸本体を洗浄して繰り返し使用することができる。また、装飾体及び箸本体を別体で製造販売することができ、箸本体を共通化することも容易であるため、製造コストを抑えながら多種多様なデザインの箸を構成することが可能となる。
【００１０】
また、箸本体に形成された穴部に筒体を挿入して固定し、筒体に装飾体の軸部を着脱可能に取り付けることで、箸本体が木材のように変形しやすい素材であっても装飾体を安定した状態で保持することができる。また、軸部に複数の大径部を、挿脱する軸方向に間隔を置いて形成することで、軸部の挿脱動作を容易に行うことができるようになる。
【図面の簡単な説明】
【００１１】
【図１】本発明に係る箸の実施形態に関する外観斜視図である。
【図２】本実施形態の頭部に関する分解斜視図である。
【図３】装飾体に関する側面図である。
【図４】装飾体を箸本体に取り付けた状態を示す断面図である。
【発明を実施するための形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る箸の実施形態に関する外観斜視図であり、図２は、本実施形態の頭部に関する分解斜視図である。箸１は、箸本体１０、箸本体１０の頭部に形成された穴部１０ａに挿入固定された筒体１１及び筒体１１に着脱可能に取り付けられる装飾体１２を備えている。
【００１４】
箸本体１０は、通常の箸と同様の形状に形成されており、例えば、先端部が先細に形成されて操作しやすい形状とされている。そして、箸本体１０の頭部には、軸方向に沿って穴部１０ａが穿設されている。箸本体１０の材質としては、従来の箸と同様に木材、竹材、樹脂材、金属材、象牙、セラミック等が用いられる。
【００１５】
箸本体１０として、木材や竹材等の天然素材を用いて切削等により所定の形状に加工した場合、加工時の発熱等により加工後に変形するようになる。また、こうした天然素材は、長期間の使用により水分等により変形しやすくなる。後述するように、装飾体１２を着脱可能に箸本体１０に取り付ける場合、箸１の使用中に装飾体１２が不用意に外れないように確実に取り付ける必要があるが、箸本体１０に形成された穴部が加工後や長期間の使用で変形すると、装飾体１２が外れやすくなる。
【００１６】
そのため、箸本体１０に形成された穴部１０ａには、筒体１１が挿入されて固定されている。筒体１１は、一方が開口して他方が曲面状に閉じた円筒形に形成されている。筒体１１の外径は、箸本体１０の断面形状に合わせて設定すればよく、通常の断面形状が円形又は多角形の箸の場合には、外径を４ｍｍ〜５ｍｍに設定することが好ましい。また、筒体１１の内周面は、後述する装飾体１２の軸部１２ｂの形状に合わせて軸方向に同じ内径となるように精度よく形成することが必要で、内径が３ｍｍ〜４ｍｍに設定することが好ましい。筒体１１の材質は、加熱や水分に対する変形が小さい材料が好ましく、例えば、金属材、樹脂材を用いるとよい。特に、コスト面及び精度の面からみて金属製の筒体が好ましく、アルミニウム材料は装飾体１２の着脱に対して変形しにくく軽量で製造加工が容易であることから、筒体としてより好ましい。筒体１１は、箸本体１０の穴部１０ａに接着剤により挿入固定される。使用される接着剤としては、耐水性及び接着強度の高いものが好ましく、例えば、ポリエステル系接着剤が挙げられる。
【００１７】
なお、箸本体１０に形成された穴部１０ａが筒体１１の内周面と同様に精度よく形成することができる場合には、筒体１１を設けずに穴部１０ａに直接装飾体１２を取り付けるようにすることもできる。
【００１８】
装飾体１２は、装飾部１２ａ及び軸部１２ｂからなり、装飾部１２ａとしては、様々なデザインの装飾物を用いることができる。例えば、携帯用ストラップやキーホルダに用いられている装飾物が挙げられる。箸１を洗浄する場合には、装飾体１２を取り外して洗浄することができるので、防水性のないものでも使用することが可能となる。軸部１２ｂは、筒体１１の内部に挿入可能で内周面との間の摩擦力により不用意に抜け落ちないように設定されている。軸部１２ｂの材質としては、例えばポリアセタール、アセタール樹脂、又はポリアセタール樹脂が挙げられる。特に、ポリアセタールは非晶部分と結晶部分とが混在するため、強度、弾性、耐衝撃性に優れた樹脂材料で、ポリアセタールのような強度、弾性、耐衝撃性に優れた材質を用いることで、軸部１２ｂの挿脱動作を繰り返し行う場合でも筒体１１との密着状態を維持することができる。
【００１９】
軸部１２ｂは、図３に示すように、棒状に形成されており、装飾部１２ａが固定された根元部分及び軸方向の中央部分に大径部１２ｃ及び１２ｄが形成されている。大径部１２ｃ及び１２ｄは、筒体１１の内径よりわずかに大きい外径になるように形成されており、軸部１２ｂが筒体１１の内部に挿入された場合に大径部１２ｃ及び１２ｄが筒体１１の内周面に密着して軸部１２ｂが容易に抜け落ちないように筒体１１内に保持される。また、軸部１２ｂの先端部１２ｅは、先細に形成されており、軸部１２ｂを筒体１１に挿入する際に先端部１２ｅを筒体１１の開口に容易に挿し込むことができる。
【００２０】
軸部１２ｂを筒体１１に挿入する場合には、最初に先端部１２ｅを筒体１１の開口に挿し込み、軸部１２ｂの軸方向が筒体１１の軸方向にほぼ一致するように設定して、先端部１２ｅを筒体１１の内部に向かって挿入する。先端部１２ｅが筒体１１の軸方向に挿入されていくと、大径部１２ｄが筒体１１に対して傾くことなくその開口の全周にわたって当接した状態となり、そのまま軸部１２ｂを筒体１１に押し込むことで大径部１２ｄの外周面が筒体１１の内周面に密着した状態で挿入されていく。大径部１２ｄの全体が筒体１１内に挿入された後さらに軸部１２ｂを押し込むと、大径部１２ｃまでの間は筒体１１の内周面に密着した状態とならないので、大径部１２ｄをスムーズに押し込んでいくことができる。そして、大径部１２ｄを筒体１１内にさらに押し込むことで大径部１２ｃが筒体１１の開口に当接した状態とし、大径部１２ｃを筒体１１の開口部分に押し込んで軸部１２ｂ全体を筒体１１内に収容した状態とすることができる。大径部１２ｃを筒体１１の開口部に密着させた状態に保持することで、装飾部１２ａを安定した状態に保持することができる。
【００２１】
軸部１２ｂを筒体１１に挿入する場合に、主に大径部１２ｄを筒体１１内に押し込んでいく際に力が必要となる程度で、装飾体１２を取り付ける際に大きな力は不要であり、装飾部１２ａを把持して取り付けた場合でも装飾部１２ａを軽く把持すればよく破損することはほとんどない。また、軸部１２ｂを引き抜く際には、最初に大径部１２ｃを筒体１１から引き抜けば、大径部１２ｄを引き抜くために大きな力は不要で、容易に引き抜くことができる。このように、２つの大径部１２ｃ及び１２ｄを、挿脱する軸方向に間隔を置いて形成しておくことで、軸部１２ｂの挿脱動作を容易に行うことができ、また大径部１２ｃ及び１２ｄが筒体１１内に密着した状態となるので、軸部１２ｂが不用意に外れることを確実に防止して安定した保持が可能となる。
【００２２】
なお、上述した例では、２つの大径部を軸部の軸方向に間隔を置いて形成するようにしているが、３つ以上の大径部を形成するようにしてもよく、特に限定されない。
【００２３】
図４は、装飾体１２を箸本体１０に取り付けた状態を示す断面図である。軸部１２ｂは、筒体１１内に全体が挿入されて、大径部１２ｃ及び１２ｄが筒体１１の内周面に密着した状態となって取り付けられている。そのため、軸部１２ｂの端部に固定された装飾部１２ａは、箸本体１０の頭部に安定した状態で保持されており、箸１のデザインの一部として表出されるようになる。装飾体１２は、箸本体１０から容易に引き抜いて別の装飾体に交換することができ、箸１を使用する各人の好みに合わせて様々なデザインの装飾体１２を取り付けることが可能となる。
【００２４】
装飾体１２は、軸部１２ｂを箸本体１０に挿脱させることで箸本体１０に着脱可能に取り付けられているため、箸１を洗浄する場合には、装飾体１２を取り外して洗浄することができる。そのため、繊維材料や樹脂材料のように通常洗浄できない材料で作成された装飾物でも装飾体１２に用いることができ、箸１にこれまで使用できなかった装飾物を含む多種多様な形状及び材質のものを取り付けることが可能となり、箸のデザインの自由度を大幅に拡大することができる。そして、箸本体１０は、従来の箸と同様に洗浄して繰り返し使用することができ、従来と同様に取り扱うことが可能となる。
【００２５】
また、各人の好みに応じて様々なデザインを箸本体に取り付けることで、各人の箸を容易に識別することができるようになる。また、飲食店等の店舗において共通の箸本体を用意しておき、各人が装飾体１２を自由に取り付けるようにすれば、各人の箸を識別することができるようになる。そして、様々な装飾体１２を取り付けた箸を用いて食卓を囲むことで、食卓にこれまでにない彩りを添えることができ、各人の好みを反映した和気あいあいとした食卓の雰囲気を醸し出すことが可能となる。
【符号の説明】
【００２６】
１・・・箸、１０・・・箸本体、１１・・・筒体、１２・・・装飾体
【図１】
2014028075.tif 000003
【図２】
2014028075.tif 000004
【図３】
2014028075.tif 000005
【図４】
2014028075.tif 000006